(57)【要約】【課題】  使用者の意思に応じて足底の刺激や足底筋を動かすことにより内臓活動を活発にして一層の健康増進を図ることが可能な履物を提供できるようにする。【解決手段】  スリッパやサンダルなどの履物１０上に、使用者の足指２１の付け根２１ａに当接する凸状部１１を形成するとともに、前記凸状部１１を前記使用者の足指２１の付勢力に応じて変形可能に構成することにより、足の指２１の屈曲及び伸張運動を何処でも何時でも手軽に行うことができるようにして、健康の増進及び運動能力を向上させることが可能な履物１０を提供できるようにする。【選択図】  図１
2007082611.tif 000002
【特許請求の範囲】
【請求項１】
スリッパやサンダルなどの履物であって、
使用者の足指の付け根から指先が当たる部分の履物の上面に、使用者の足指の付け根に当接する凸状部を形成するとともに、前記凸状部を前記使用者の足指の付勢力に応じて変形可能に構成したことを特徴とする履物。
【請求項２】
前記凸状部を、可撓性を有する合成樹脂またはゴムにより形成したことを特徴とする請求項１に記載の履物。
【請求項３】
スリッパやサンダルなどの履物であって、
使用者の足指の付け根から指先が当たる部分に形成されたスライド溝と、
前記スライド溝内にスライド自在に配設されたスライド板と、
前記スライド板上に配設され、使用者の足指の付け根に当接する凸状部と、
前記スライド板を前記使用者の指先方向に常に付勢するスプリングとを有することを特徴とする履物。
【請求項４】
スリッパやサンダルなどの履物であって、
使用者の足指の付け根から指先が当たる部分に形成された係合凹部と、
前記係合凹部内に上下動自在に配設された押圧板と、
前記押圧板上に配設され、使用者の足指の付け根に当接する凸状部と、
前記押圧板を前記使用者の指先が位置する上方向に常に付勢するスプリングとを有することを特徴とする履物。
【請求項５】
前記スプリングの張力を可変にしたことを特徴とする請求項３または４に記載の履物。
【発明の詳細な説明】
【技術分野】
【０００１】
本発明は、スリッパやサンダルなどの履物に関するものである。
【背景技術】
【０００２】
人の足の裏は東洋医学では第２の心臓ともいわれ、多くの経穴（いわゆるツボ）が存在することから、このツボを刺激して健康効果を図るものとして、刺激のための突起を設けたサンダルやスリッパなどの履物が種々提案されている。
【０００３】
特に、湧泉や足心などのツボを刺激するものとして、スリッパの土踏まずの当たる部分に竹踏みなるアーチ状の突起を設けたスリッパが提案されている。かかるスリッパを履いて歩行することで前記突起が湧泉や足心などのツボを押圧することにより、健康が促進され、また血行もよくなるとされている。
【０００４】
かかる土踏まずの当たる部分にアーチ状の突起を設けた竹踏み方式の履物は、歩行時はもちろんのこと、立っている時は体重が常時かかる土踏まずの部分がこの突起で押圧されることになり、大きな指圧効果が得られる。
【０００５】
しかしながら、足裏からの圧力がこの突起の頂部に集中することになって、長時間使用すると突起が当たっている部分の足裏が痛くなったり、或いはかえって疲れたりすることもある。また、足裏のほぼ中央に位置する土踏まずの部分が押し上げられるために歩行しにくいこともある。
【０００６】
このような問題点を解消するために、例えば、特許文献１において、長時間使用しても足裏が痛くなったり、疲れたりすることがなく、また、歩行しにくいこともなく、さらに、ツボ刺激効果だけでなくストレッチ効果も期待できる履物が提案されている。
【０００７】
前記特許文献１に記載の履物は、スリッパやサンダルなどの履物で、足指の付け根から指先が当たる部分の底部の上面に、側面山形の凸状部を形成している。このような構成とすることにより、足の指の付け根から指先部分が側面山形の凸状部の上に載ることから、指部分が下向きの「く」の字形に曲がり、歩行の度毎にストレッチ効果が得られると同時に、指の裏側が凸状部により下方から押圧されることになる。
【０００８】
これにより、指圧効果が得られて血行がよくなる利点を有している。また、指全体で凸状部を掴み込むようなかたちになるから、歩行時は指で凸状部を後方に蹴りだすことができるので、歩きやすい等の利点が得られるとされている。
【０００９】
【特許文献１】特開２００２−１６５６０４号公報
【発明の開示】
【発明が解決しようとする課題】
【００１０】
しかしながら、前記特許文献１に記載の「履物」の場合、指圧効果が得られて血行がよくなる場合は、使用者が前記履物を履いて歩行するときであり、例えば、椅子に腰掛けていたりする場合には、足の指の付け根から指先部分に対する指圧効果を得ることはできない問題点があった。
【００１１】
したがって、例えば、飛行機などの乗り物において長時間に亘って座っている場合には、所謂エコノミー症候群の発症を防止するために、抹消血流を良くすることが求められるが、前記特許文献１に記載の履物の場合には、このような場合に、使用者の意思に応じて足底の刺激や足底筋を動かして足部の血行を良くすることができない問題点があった。
【００１２】
本発明は前述の問題点にかんがみ、使用者の意思に応じて足底の刺激や足底筋を動かすことにより足の筋肉及び内臓活動等を活発にして足部の血行を良くして、一層の健康増進を図ることができる履物を提供できるようにすることを目的としている。
【課題を解決するための手段】
【００１３】
本発明の履物は、スリッパやサンダルなどの履物であって、使用者の足指の付け根から指先が当たる部分の履物の上面に、使用者の足指の付け根に当接する凸状部を形成するとともに、前記凸状部を前記使用者の足指の付勢力に応じて変形可能に構成したことを特徴とする。
また、本発明の履物のその他の特徴とするところは、スリッパやサンダルなどの履物であって、使用者の足指の付け根から指先が当たる部分に形成されたスライド溝と、前記スライド溝内にスライド自在に配設されたスライド板と、前記スライド板上に配設され、使用者の足指の付け根に当接する凸状部と、前記スライド板を前記使用者の指先方向に常に付勢するスプリングとを有することを特徴とする。
また、本発明の他の特徴とするところは、スリッパやサンダルなどの履物であって、使用者の足指の付け根から指先が当たる部分に形成された係合凹部と、前記係合凹部内に上下動自在に配設された押圧板と、前記押圧板上に配設され、使用者の足指の付け根に当接する凸状部と、前記押圧板を前記使用者の指先が位置する上方向に常に付勢するスプリングとを有することを特徴とする。
【発明の効果】
【００１４】
本発明によれば、スリッパやサンダルなどの履物上に、使用者の足指の付け根に当接する凸状部を形成するとともに、前記凸状部を前記使用者の足指の付勢力に応じて変動可能に構成したので、使用者が足指を動かすことにより前記凸状部を前後または上下方向に動かすことができて、親指の足底筋等を運動することが可能となる。これにより、長く座った状態においても下半身に血液が滞留してしまうのを防止することができ、例えば、エコノミークラス症候群と呼ばれて問題となっている病気、すなわち、飛行機の座席に長時間、同じ姿勢で座り続けることによって発生しやすくなる腰痛や足の痛み、深部静脈血栓症（俗に旅行者血栓症）などを防止するのに大きく寄与することができる。
また、足の指の屈曲及び伸張運動を継続して行うことにより、スポーツ選手の基礎力を向上させることは勿論のこと、一般の使用者の健康増進を図ることができる。
【発明を実施するための最良の形態】
【００１５】
（第１の実施形態）
以下、図面を参照して本発明の履物の実施形態を詳しく説明する。
図１は、本実施形態の履物１０の全体構成を示す図である。図１に示したように、本実施形態の履物１０は、使用者が装着した際に、カバー１２が取り付けられている先端側に位置する足指２１の付け根２１ａから指先が当たる部分の上面に、側面山形の凸状部１１を形成する。
【００１６】
図３に示すように、前記凸状部１１は、山形の頂部が足指２１の第２関節に全てに対応するように、履物１０の幅の略全体に亘って形成されている。なお、カバー１２は固定部材で構成してもよいが、伸縮性を有する部材を使用し、履物１０の少なくとも上面１０ａには足２０の裏が滑りにくくなるようにするために、細かな凹凸形状やメッシュなどを施してもよい。
【００１７】
次に、本実施形態の履物１０の使用例を説明する。
（第１の使用例）
履物１０を履いた状態で、足２０の甲部がカバー１２で固定され、足指２１が凸状部１１の上に載る。このとき、足指２１の付け根２１ａよりも先端部は凸状部１１の先端側の傾斜部に位置し、足指２１の第２関節部分が凸状部１１の頂部に位置する。
【００１８】
このような状態で、足指２１は凸状部１１の上にあって指先が下方に向くように折れ曲がり、第２関節の部分が凸状部１１の頂部の上に載り、付け根２１ａは上方に向くように折れ曲がるから、足裏全体に体重がかかると、足指２１の裏全体が凸状部１１の上に押し付けられて指圧作用が得られる。その結果、本実施形態の履物１０を装着しているだけで抹消血流が良好になる。また同時に、足指２１が「く」の字形に曲がることでストレッチされる利点が得られる。
【００１９】
前述のような指圧作用やストレッチ作用は歩行することで、足指２１の付け根２１ａの部分がさらに折れ曲がることによりさらに強化される。そして、歩行時に足を蹴りだす動作を行う際、足指２１は凸状部１１全体をくるむようにして掴み込んでいるから、足指２１で凸状部１１を後方に蹴りだすことができる。特に、指先が凸状部１１の前方の傾斜部４ｃに対応していることで、この傾斜部により後方への押し出し力を得ることができ、良好に歩行できる。
【００２０】
また、足甲部を固定するカバー１２を設けてあるから、足指２１の付け根２１ａの部分をカバー１２で上面１０ａ側に固定することができ、歩行中に足指２１が履物１０に対して移動することを防ぐことができる。これにより、足指２１を凸状部１１の上に常に保持することができて、ストレッチや指圧作用を確実なものにできる。この場合、履物１０の素材を滑りにくいもので形成しておけば、滑り防止作用はさらに確実になる。
【００２１】
また、カバー１２には伸縮性のある材質のものを使用することで、歩行時に踵が持ち上がるときの足裏の返りを容易にできると同時に、着地したとき、履物の足へのフィット性を向上できる。
【００２２】
抹消血流量に関しては、被験者によって異なるが、何れの場合においても、通常の履物の場合は、履いている時間に従って血流量の低下が観察された。それに対して、本実施形態の履物を履いた場合は、殆どの被験者で血流量の低下は認められず、低下が認められた場合でも、通常の履物の場合に比較して血流量の高い値を示した。よって、本実施形態の履物１０では、血流量の低下は生じ難く、持続して履いていても疲労を感じることが少ないものである。
【００２３】
さらに、本実施形態の履物１０においては、凸状部１１を柔軟な合成樹脂、ゴム等の柔軟な材料で形成していることにより、歩行時に付け根２１ａが痛過ぎることが防止される。
【００２４】
また、凸状部１１が柔軟分材で形成されていることにより、図２に示したように、本実施形態の履物１０は足の指２１の付け根２１ａ部分に凸状部１１を当接させ、足の指２１で前記凸状部１１を引っ張ることにより、図２中に矢印Ｙで示したように、凸状部１１を湾曲させるようにして足の指２１の屈曲及び伸張運動を行うことができる。
【００２５】
以上のような足指２１の屈曲及び伸張運動を繰返して行うことにより、足底筋の強化トレーニングを良好に行うことができる。これにより、足底筋、特に親指の足底筋を極めて効果的に強化することができる。
【００２６】
したがって、スポーツ選手等が本実施形態の履物１０を用いて、例えば２００回／日のトレーニングを続けると、親指の足底筋を短期間に著しく強化することができ、総てのスポーツの基礎力となる走力、ジヤンプ力及び瞬発力等を著しく強化することができる。
【００２７】
一方、本実施形態の履物１０を日常の健康用具として用いると、前記の基礎体力の向上とともに、親指の外反症状や偏平足治療、矯正に極めて効果的であり、足底の刺激や足底筋の強化に伴って、内臓活動を活発にして一層の健康増進を図ることができる。
【００２８】
特に、自由に運動を行うことが制限される環境、例えば、飛行機や電車、或いは自動車等において長時間に亘って座った状態を強いられる環境においても下半身に血液が滞留してしまうのを防止することができる。これにより、例えば、エコノミークラス症候群と呼ばれて問題となっている病気、すなわち、飛行機の座席に、長時間、同じ姿勢で座り続けることによって発生しやすくなる腰痛や足の痛み、深部静脈血栓症（俗に旅行者血栓症）などを防止するのに大きく寄与することができる。
【００２９】
（第２の使用例）
図４に示すように、第２の使用例は、足の指２１で凸状部１１の上部を押圧して弾性変形させるようにした例を示している。
このように、足の指２１を下方に押し付けて動かす運動を繰り返し行うことによっても、足底筋の強化トレーニングを良好に行うことができて、足底筋、特に親指の足底筋を極めて効果的に強化することができる。
【００３０】
（第２の実施形態）
次に、本実施形態の履物の第２の実施形態を説明する。
前述した第１の実施形態の履物１０の場合は、柔軟な分材を使用して凸状部１１を形成し、前記凸状部１１を撓ませることにより足の指２１の屈曲及び伸張運動を可能にした例を示した。
【００３１】
それに対して、この第２の実施形態においては、図５に示したように、足の指２１の付け根２１ａが位置する履物３０にスライド溝３４を形成し、このスライド溝３４内にスライダー３１ａをスライド自在に配設している。図４において、３２はカバーである。
【００３２】
そして、前記スライダー３１ａ上に凸状部３１を形成している。前記スライダー３１ａはスプリング３３により履物３０の先端側に常に付勢されており、先端側の移動限位置において前記凸状部３１が使用者の足指２１の付け根２１ａに当接するように構成されている。また、本実施形態においても履物３０の少なくとも上面３０ａには足２０の裏が滑りにくくなるように、細かな凹凸形状やメッシュなどを施している。
【００３３】
前述のように構成した本実施形態の履物３０の場合の使用例は、前述した第１の実施形態の履物１０と同様であるが、本実施形態の履物３０においては、足の指２１の屈曲及び伸張運動に伴って凸状部３１を、図５中の矢印Ｙで示したように大きく移動させることができる。
【００３４】
したがって、本実施形態の履物３０によれば、使用者の足指２１の屈曲及び伸張運動を本格的に行うことができる。また、使用者の運動能力に応じてスプリング３３の張力を加減することができるので、老若男女を問わずに手軽に使用することが可能である。
【００３５】
以上説明したように、本発明の履物３０によれば、スポーツ選手の基礎力を向上させることは勿論のこと、一般の使用者が手軽に購入することが可能な足指運動装置を提供することができる。
【００３６】
（第３の実施形態）
次に、図７及び図８を参照しながら本発明の第３の実施形態を説明する。
この例の場合は、足の指２１が位置する履物６０に係合凹部６１を形成し、この係合凹部６１内に上下移動板３１ａを上下動自在に配設している。図７において、３２はカバーである。
【００３７】
本実施形態においては、前記上下移動板３１ａ上に凸状部３１を形成している。前記上下移動板３１ａはスプリング３３により履物６０の上方側に常に付勢されており、上方側の移動限位置において前記凸状部３１が使用者の足指２１の付け根２１ａに当接するように構成されている。また、本実施形態においても履物６０の少なくとも上面６０ａには足２０の裏が滑りにくくなるように、細かな凹凸形状やメッシュなどを施している。
【００３８】
前述のように構成した本実施形態の履物６０の使用例は、常時は凸状部１１が足の指２１の付け根２１ａを押圧して、前述した第１及び第２の実施形態と同様に、足指２１は凸状部１１の上にあって指先が下方に向くように折れ曲がり、第２関節の部分が凸状部１１の頂部の上に載り、付け根２１ａは上方に向くように折れ曲がるようにして使用する。このような状態において、足裏全体に体重がかかると、足指２１の裏全体が凸状部１１の上に押し付けられて指圧作用が得られる。その結果、本実施形態の履物６０を装着しているだけで抹消血流が良好になる。また同時に、足指２１が「く」の字形に曲がることでストレッチされる利点が得られる。
【００３９】
また、積極的に足の指２１の運動を行う場合には、図７に示したように、足の指２１を凸状部１１の上部に載せて、前記足の指２１で前記凸状部１１を下方に押圧して、スプリング６２，６３の張力に抗して上下移動板３１ａを下方に移動させる。このように、足の指２１のみを下方に動かす運動は、通常は行い難いので加齢による老化を防止するのに特に有効である。また、本実施形態の履物６０の場合も、老若男女を問わずに手軽に使用することが可能である。
【００４０】
前述した第１の実施形態〜第３の実施形態においては、本発明をスリッパに適用した例を示したが、本発明はサンダルにも良好に適用することができる。
【図面の簡単な説明】
【００４１】
【図１】本発明の第１の実施形態を示し、使用者が装着している状態における履物の全体構成を示す図である。
【図２】本発明の第１の実施形態を示し、使用者が足を屈曲及び伸張運動させて使用している状態を示す図である。
【図３】本発明の第１の実施形態を示し、凸状部の全体構成を説明するための履物の上面図である。
【図４】本発明の第１の実施形態を示し、使用者が足の指で凸状部を下方に押圧している様子を示す図である。
【図５】本発明の第２の実施形態を示し、使用者が装着している状態における履物の全体構成を示す図である。
【図６】本発明の第２の実施形態を示し、使用者が足を屈曲及び伸張運動させて使用している状態を示す図である。
【図７】本発明の第３の実施形態を示し、使用者が装着している状態における履物の全体構成を示す図である。
【図８】本発明の第３の実施形態を示し、使用者が足の指で凸状部を下方に押圧している様子を示す図である。
【符号の説明】
【００４２】
１０  履物
１０ａ  上面
１１  凸状部
１２  カバー
２０  使用者の足
２１  足の指
２１ａ  付け根
Ｙ  矢印
３０  履物
３１  凸状部
３１ａ  スライダー
３２  カバー
【図１】
2007082611.tif 000003
【図２】
2007082611.tif 000004
【図３】
2007082611.tif 000005
【図４】
2007082611.tif 000006
【図５】
2007082611.tif 000007
【図６】
2007082611.tif 000008
【図７】
2007082611.tif 000009
【図８】
2007082611.tif 000010